(57)【要約】【課題】乾燥を短時間で行い得る水切りマットを提供する。【解決手段】水切りマット１０は、食器が載置される表面側を、軟質または半硬質の発泡体１２で構成すると共に、発泡体１２の裏面側に、該発泡体１２に追従して変形可能な封水層１４が設けられている。発泡体１２は、通気性を有する連続気泡構造であり、その厚みが５ｍｍ〜２０ｍｍの範囲に設定されると共に、そのセル数が５〜５０個／２５ｍｍの範囲に設定されている。また、発泡体１２としては、ウレタンフォームが好適に用いられる。【選択図】図１
2015047169.tif 000002
【特許請求の範囲】
【請求項１】
物品が載置される表面側を、軟質または半硬質の発泡体で少なくとも構成し、
前記発泡体は、通気性を有する連続気泡構造であり、そのセル数が５〜５０個／２５ｍｍの範囲に設定された
ことを特徴とする水切りマット。
【請求項２】
前記発泡体の裏面側に、該発泡体に追従して変形可能な封水層を設けた請求項１記載の水切りマット。
【請求項３】
台座に棒状の保持部が起立するよう設けられた収納具に収納する際に該保持部に嵌め合わせる挿通孔を、その厚み方向に貫通形成した請求項１または２記載の水切りマット。
【発明の詳細な説明】
【技術分野】
【０００１】
この発明は、食器等の物品を乾燥する際に用いられる水切りマットに関するものである。
【背景技術】
【０００２】
洗ったコップや皿などの食器を水切りする際に、水切りかごに代えて、吸水性の布地を含むマットに載置して行うことが提案されている(例えば特許文献１参照)。特許文献１に開示のマットは、載置された食器から流れ落ちる水を布地で吸い取り、該マットから水が流れ出さないように保持している。そして、食器の壁面に付着して残った水が蒸発することで乾燥するようになっている。このようなマットは、設置する場所や収納する場所の自由度が高い等のメリットがある。
【先行技術文献】
【特許文献】
【０００３】
【特許文献１】実開平１−６６１７２号公報
【発明の概要】
【発明が解決しようとする課題】
【０００４】
前記マットは、例えばコップを、飲み口を該マットに当接させて伏せた状態で載置した際に、コップの開口部がマットで塞がれることから、コップの内壁面に付着して残った水が蒸発し難く、コップの内側の乾燥に時間がかかってしまう。すなわち、前記マットは、食器から流れ落ちる水を吸い取るだけで、食器の乾燥を阻害することがある。
【０００５】
すなわち本発明は、従来の技術に係る前記問題に鑑み、これらを好適に解決するべく提案されたものであって、載置した物品を迅速に乾燥させることができる水切りマットを提供することを目的とする。
【課題を解決するための手段】
【０００６】
前記課題を克服し、所期の目的を達成するため、本願の請求項１に係る発明の水切りマットは、
物品が載置される表面側を、軟質または半硬質の発泡体で少なくとも構成し、
前記発泡体は、通気性を有する連続気泡構造であり、そのセル数が５〜５０個／２５ｍｍの範囲に設定されたことを要旨とする。
請求項１に係る発明によれば、通気性を有する発泡体で物品が載置される表面側を構成しているので、載置した物品の通気を阻むことなく、物品を迅速に乾燥させることができる。
【０００７】
請求項２に係る発明では、前記発泡体の裏面側に、該発泡体に追従して変形可能な封水層を設けたことを要旨とする。
請求項２に係る発明によれば、封水層により物品から流下した水が外部に流れ出すのを防止することができる。
【０００８】
請求項３に係る発明では、台座に棒状の保持部が起立するよう設けられた収納具に収納する際に該保持部に嵌め合わせる挿通孔を、その厚み方向に貫通形成したことを要旨とする。
請求項３に係る発明によれば、収納具の保持部に嵌め合わせる挿通孔が形成されているので、水切りマットを収納具でまとめ易い。
【発明の効果】
【０００９】
本発明に係る水切りマットによれば、載置した物品を迅速に乾燥させることができる。
【図面の簡単な説明】
【００１０】
【図１】本発明の好適な実施例に係る水切りマットを示す斜視図である。
【図２】実施例の水切りマットの使用状態を説明する断面図である。
【図３】(ａ)は実施例の水切りマットを収納具に収納した状態を示す概略斜視図であり、(ｂ)は実施例の水切りマットを収納具から取り出して並べた状態を示す概略斜視図である。
【発明を実施するための形態】
【００１１】
次に、本発明に係る水切りマットにつき、好適な実施例を挙げて、添付図面を参照して以下に説明する。なお、実施例では、水切り対象の物品として食器Ｄ(図２)を例示するが、洗浄した後に洗浄またはすすぎに用いた液体を乾燥することを要する物品であれば、食器Ｄに限らず使用可能である。
【実施例】
【００１２】
図１および図２に示すように、実施例に係る水切りマット１０は、食器Ｄが載置される表面側が通気性を有する発泡体１２で少なくとも構成される。また、実施例の水切りマット１０は、発泡体１２の裏面側に封水層１４が設けられ、封水層１４により流し台やテーブル等に当接する該水切りマット１０の裏面側に水が流れ出さないようになっている。実施例の水切りマット１０は、その厚み方向に発泡体１２と封水層１４とが重なっている。なお、水切りマット１０の平面形状は、特に限定されず、円形や矩形状などその他の形状であってもよい。
【００１３】
前記発泡体１２としては、載置した食器Ｄの内外の通気を確保し得る通気性を有している軟質または半硬質のフォームが用いられる。また、発泡体１２は、食器Ｄを載置した際に底付きするまで潰れず、該食器Ｄの姿勢を支持し得る硬さと、載置される食器Ｄを傷付けないように受け止める柔軟性と、載置していた食器Ｄを取り除いた際に元の厚みに戻る形状復元性とを併有しているのが望ましい。更に、実施例の発泡体１２は、湾曲させる等の変形を許容する適度な可撓性を有している。発泡体１２は、通気性を有する連続気泡構造であり、例えば除膜処理が行われた網目状のポリウレタンフォームが好適に用いられる。発泡体１２は、その厚さを５ｍｍ〜２０ｍｍの範囲に設定するのが好ましく、厚さが５ｍｍより小さくなると食器を載置した際に潰れて十分な通気性を確保するのが難しくなり、厚さが２０ｍｍより大きくなると水切りマット１０の取り扱い性が悪くなる。
【００１４】
前記発泡体１２は、そのセル数(JIS K 6400-1)が５個／２５ｍｍ〜５０個／２５ｍｍの範囲にあるものが好ましく、セル数が５個／２５ｍｍより小さいとセルが大きくなりすぎて食器Ｄの姿勢を支持するのが難しく、セル数が５０個／２５ｍｍより大きいとセルが小さくなりすぎて適切な通気性を確保するのが難しくなる。また、発泡体１２は、その通気性(JIS K 6400-7)が５０ｍｌ／ｃｍ２／ｓｅｃ以上の範囲にあるものを好適に用いることができ、通気性が５０ｍｌ／ｃｍ２／ｓｅｃより低いと十分な乾燥促進効果が得られない。更に、発泡体１２は、その硬さ(JIS K 6400-2(D法))が３０Ｎ〜４００Ｎの範囲にあるものを好適に用いることができ、硬さが３０Ｎより低いと該発泡体１２が潰れ過ぎて通気が阻害されると共に載置した食器Ｄの姿勢が安定せず、硬さが４００Ｎより高いと水切りマット１０の取り扱い性が悪化してしまう。前記条件を満たす発泡体１２としては、例えばイノアックコーポレーション製の商品名ＭＦ−１８を用いることができる。
【００１５】
前記封水層１４は、ポリプロピレン等の合成樹脂フィルムや、独立気泡構造のポリウレタンフォーム(例えばイノアックコーポレーション製、商品名ＰＥライトＺなど)等の発泡体を用いることができる。また、連続気泡構造の発泡体であっても、通気性が非常に低く(０〜１０ｍｌ／ｃｍ２／ｓｅｃ)、水を通し難いものであれば封水層１４として用いることができ、例えばシールフォーム(止水材・エヤーシール材)であればよい。合成樹脂フィルムや、独立気泡構造のポリウレタンフォーム等は、ゴミや汚れが気泡に溜まらないので、封水層１４として好ましい。封水層１４は、その厚さが０．２ｍｍ〜５ｍｍの範囲が好ましく、可撓性を有する発泡体１２の変形に追従して変形し得るように構成されている。すなわち、実施例の水切りマット１０は、全体として厚み方向に湾曲する等の変形可能な可撓性を有している。なお、封水層１４は、発泡体１２に対して接着剤や熱溶着やその他の適宜方法で接合される。
【００１６】
実施例では、複数の水切りマット１０が収納具２０に互いに重ねた状態でまとめて収納されている(図３(ａ)参照)。収納具２０は、台座２２と、この台座２２に起立するように設けられた棒状の保持部２４とから構成されている。この収納具２０を用いてまとめられる水切りマット１０は、その厚み方向に貫通形成された挿通孔１０ａを備え、収納具２０の保持部２４に挿通孔１０ａを嵌め合わせて該収納具２０に位置決め保持される。このように複数の水切りマット１０を収納具２０に積み重ねて収納することで、コンパクトにまとめることができる。そして、食器Ｄの大きさに合わせた適宜数の水切りマット１０を収納具２０から取り出して、食器Ｄの形状等に合わせて並べて使用される(図３(ｂ)参照)。なお、水切りマット１０は、挿通孔１０ａから外周縁にかけてスリット(切れ目)１０ｂを入れてもよく(図３(ｂ)参照)、スリット１０ｂを形成することで、該スリット１０ｂを介して前記保持部２４を出し入れすることができる。
【００１７】
〔実施例の作用〕
次に、実施例に係る水切りマット１０の作用について説明する。図２に示すように、例えばコップなどの食器Ｄを、開口縁を水切りマット１０の表面側に当接させて伏せた状態で載置した際に、食器Ｄの開口部が水切りマット１０で塞がれることになる。ここで、水切りマット１０は、表面側が通気性を有する発泡体１２で構成されているから、該発泡体１２を介して食器Ｄの内側と外側との通気が確保される。すなわち、食器Ｄの内壁面に付着して水Ｗ(図２参照)が残っていても、発泡体１２を介して通気しているから、当該水Ｗを効率よく蒸発させて、食器Ｄの乾燥を短時間で行うことができる。また、発泡体１２は、吸水を目的とするものではないから、食器Ｄから流下した水が蒸発し易く、水切りマット１０自体が乾き易い。これにより、水切りマット１０での雑菌の繁殖等を抑えることができ、清潔である。更に水切りマット１０は、封水層１４により食器Ｄから流下した水が外部に流れ出すのを防止することができる。水切りマット１０は、収納具２０の保持部２４に合わせて挿通孔１０ａが形成されているので、収納具２０で挿通孔１０ａに保持部２４を嵌め合わせてコンパクトにまとめることができる。
【００１８】
(変更例)
前述した構成に限定されず、例えば以下のようにも変更することが可能である。
(１)実施例では発泡体と封水層とからなる複層構造を例示したが、発泡体だけの単層構造であっても、発泡体の裏面側に封水層以外の例えば、抗菌性、防カビ性等の機能層を設けてもよい。
(２)水切りマットの平面形状は円形に限定されず、矩形状やその他形状であってもよい。例えばパズルのピースの如く互いに噛み合う凹凸を設け、該凹凸を噛み合わせて複数の水切りマットを並べて使用する形態であってもよい。その場合、複数の水切りマットを並べて使用すれば、水切りマット間の空間をなくすことが可能となり、食器を載置しても水切りマットを配置したキッチンやテーブルを濡らすことがない。
(３)挿通孔の位置は、中央部に限定されず、適宜位置に開設することができる。例えば、挿通孔の位置を、水切りマットの外周縁付近に開設すれば、水切りマットの中央部にコップや食器等を載置しても水切りマットを配置したキッチンやテーブルを濡らすことがなく、かつ、コンパクトに収納することが可能となる。
【符号の説明】
【００１９】
１０ａ 挿通孔，１２ 発泡体，１４ 封水層，２０ 収納具，２２ 台座，２４ 保持部
【図１】
2015047169.tif 000003
【図２】
2015047169.tif 000004
【図３】
2015047169.tif 000005